(57)【要約】【課題】データロスの低減を図ることを可能とする通信方法、通信システム及び制御装置を提供する。【解決手段】通信方法は、第１サイズでデータユニットを伝送する第１接続状態と、第１サイズよりも大きい第２サイズでデータユニットを伝送する第２接続状態とを切り替える方法である。通信方法は、第２接続状態から第１接続状態に遷移した後に、第１接続状態から第２接続状態に遷移した場合に、データユニットのサイズを第１サイズで維持するステップを備える。【選択図】図２
2011015213.tif 000002
【特許請求の範囲】
【請求項１】
第１サイズでデータユニットを伝送する第１接続状態と、前記第１サイズよりも大きい第２サイズで前記データユニットを伝送する第２接続状態とを切り替える通信方法であって、
前記第２接続状態から前記第１接続状態に遷移した後に、前記第１接続状態から前記第２接続状態に遷移した場合に、前記データユニットのサイズを前記第１サイズで維持するステップを備えることを特徴とする通信方法。
【請求項２】
前記データユニットを受信する受信装置が、前記データユニットを送信する送信装置に対して、前記データユニットの受信に成功したか否かを示す送達確認情報を送信するステップと、
前記送信装置が、前記受信装置に対して、前記受信装置が受信に失敗したデータユニットを再送するステップとを備えることを特徴とする請求項１に記載の通信方法。
【請求項３】
前記第１サイズ及び前記第２サイズは固定長であり、
前記データユニットは、ＲＬＣレイヤのプロトコルデータユニットであることを特徴とする請求項１に記載の通信方法。
【請求項４】
前記第１サイズは、４２オクテットであり、
前記第２サイズは、８２オクテットであることを特徴とする請求項３に記載の通信方法。
【請求項５】
前記第１接続状態は、共通チャネル接続状態であり、
前記第２接続状態は、ＨＳＤＰＡ接続状態であることを特徴とする請求項１に記載の通信方法。
【請求項６】
前記第１接続状態は、個別チャネル接続状態であり、
前記第２接続状態は、ＨＳＤＰＡ接続状態であることを特徴とする請求項１に記載の通信方法。
【請求項７】
第１サイズでデータユニットを伝送する第１接続状態と、前記第１サイズよりも大きい第２サイズで前記データユニットを伝送する第２接続状態とを切り替える通信システムであって、
前記第２接続状態から前記第１接続状態に遷移した後に、前記第１接続状態から前記第２接続状態に遷移した場合に、前記データユニットのサイズを前記第１サイズで維持する制御部を備えることを特徴とする通信システム。
【請求項８】
第１サイズでデータユニットを伝送する第１接続状態と、前記第１サイズよりも大きい第２サイズで前記データユニットを伝送する第２接続状態とを切り替える制御装置であって、
前記第２接続状態から前記第１接続状態に遷移した後に、前記第１接続状態から前記第２接続状態に遷移した場合に、前記データユニットのサイズを前記第１サイズで維持する制御部を備えることを特徴とする制御装置。
【発明の詳細な説明】
【技術分野】
【０００１】
本発明は、第１サイズでデータユニットを伝送する第１接続状態と、第１サイズよりも大きい第２サイズでデータユニットを伝送する第２接続状態とを切り替える通信方法、通信システム及び制御装置に関する。
【背景技術】
【０００２】
近年、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）などのように、データの伝送速度を高める技術が提案されている。
【０００３】
ここで、Ｒ９９（Ｒｅｌｅａｓｅ  ９９）仕様では、ＤＣＨ（Ｄｅｄｉｃａｔｅｄ  Ｃｈａｎｎｅｌ）を用いてデータが伝送される。例えば、ＤＣＨでは、ＰＤＵ：Ｐｒｏｔｏｃｏｌ  Ｄａｔａ  Ｕｎｉｔ（例えば、ＲＬＣ  ＰＤＵ）のサイズは、第１サイズ（例えば、４２オクテット）である。
【０００４】
一方で、ＨＳＤＰＡでは、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を用いてデータが伝送される。例えば、ＨＳ−ＤＳＣＨでは、ＰＤＵ（例えば、ＲＬＣ  ＰＤＵ）のサイズは、第２サイズ（８２オクテット）である。なお、第２サイズが第１サイズよりも大きい。
【０００５】
このように、第１サイズよりも大きい第２サイズのＰＤＵを用いることによって、ＰＤＵに割り振られるシーケンス番号の取り得る範囲を拡げずに、データの伝送速度の高速化が図られている（例えば、特許文献１）。
【先行技術文献】
【特許文献】
【０００６】
【特許文献１】特開２００４−３６４２７７号公報
【発明の概要】
【発明が解決しようとする課題】
【０００７】
受信装置は、ＰＤＵをバッファに蓄積するとともに、受信装置がＰＤＵの受信に成功したか否かを示す送達確認情報（ＡＣＫ/ＮＡＣＫ）を送信装置に送信する。受信装置は、送信装置から再送されたＰＤＵを用いて、受信装置が受信に失敗したＰＤＵの誤りを回復する。
【０００８】
上述したように、ＰＤＵのサイズが変更されると、バッファに蓄積されたＰＤＵのサイズが送信装置から再送されたＰＤＵのサイズと異なってしまう。従って、無線区間で生じる誤りを回復できないため、バッファに蓄積されたＰＤＵが破棄される。このように、ＰＤＵのサイズ変更に伴って、送信済みのＰＤＵが無駄になり、データロスが生じてしまう。
【０００９】
同様に、送信装置においても、ＰＤＵのサイズが変更されると、受信装置が受信に成功した旨を示す送達確認情報が得られていないＰＤＵを破棄する必要があり、データロスが生じてしまう。
【００１０】
そこで、本発明は、上述した課題を解決するためになされたものであり、データロスの低減を図ることを可能とする通信方法、通信システム及び制御装置を提供する。
【課題を解決するための手段】
【００１１】
第１の特徴に係る通信方法は、第１サイズでデータユニットを伝送する第１接続状態と、前記第１サイズも大きい第２サイズで前記データユニットを伝送する第２接続状態とを切り替える方法である。通信方法は、前記第２接続状態から前記第１接続状態に遷移した後に、前記第１接続状態から前記第２接続状態に遷移した場合に、前記データユニットのサイズを前記第１サイズで維持するステップを備える。
【００１２】
第１の特徴において、通信方法は、前記データユニットを受信する受信装置が、前記データユニットを受信する送信装置に対して、前記データユニットの受信に成功したか否かを示す送達確認情報を送信するステップと、前記送信装置が、前記受信装置に対して、前記受信装置が受信に失敗したデータユニットを再送するステップとを備える。
【００１３】
第１の特徴において、前記第１サイズ及び前記第２サイズは固定長である。前記データユニットは、ＲＬＣレイヤのプロトコルデータユニットである。
【００１４】
第１の特徴において、前記第１サイズは、４２オクテットである。前記第２サイズは、８２オクテットである。
【００１５】
第１の特徴において、前記第１接続状態は、共通チャネル接続状態である。前記第２接続状態は、ＨＳＤＰＡ接続状態である。
【００１６】
第１の特徴において、前記第１接続状態は、個別チャネル接続状態である。前記第２接続状態は、ＨＳＤＰＡ接続状態である。
【００１７】
第２の特徴に係る通信システムは、第１サイズでデータユニットを伝送する第１接続状態と、前記第１サイズも大きい第２サイズで前記データユニットを伝送する第２接続状態とを切り替える。通信システムは、前記第２接続状態から前記第１接続状態に遷移した後に、前記第１接続状態から前記第２接続状態に遷移した場合に、前記データユニットのサイズを前記第１サイズで維持する制御部を備える。
【００１８】
第３の特徴に係る制御装置は、第１サイズでデータユニットを伝送する第１接続状態と、前記第１サイズも大きい第２サイズで前記データユニットを伝送する第２接続状態とを切り替える。制御装置は、前記第２接続状態から前記第１接続状態に遷移した後に、前記第１接続状態から前記第２接続状態に遷移した場合に、前記データユニットのサイズを前記第１サイズで維持する制御部を備える。
【発明の効果】
【００１９】
本発明によれば、データロスの低減を図ることを可能とする通信方法、通信システム及び制御装置を提供することができる。
【図面の簡単な説明】
【００２０】
【図１】第１実施形態に係る通信システム１００の構成を示す図である。
【図２】第１実施形態に係る状態遷移を示す図である。
【図３】第１実施形態に係る移動局１０の構成を示す図である。
【図４】第１実施形態に係る無線制御装置４０の構成を示す図である。
【図５】第１実施形態に係る通信システム１００の動作を示す図である。
【図６】第１実施形態に係る通信システム１００の動作を示す図である。
【発明を実施するための形態】
【００２１】
以下において、本発明の実施形態に係る通信方法、通信システム及び制御装置について、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［実施形態の概要］
実施形態に係る通信方法は、第１サイズでデータユニットを伝送する第１接続状態と、第１サイズも大きい第２サイズでデータユニットを伝送する第２接続状態とを切り替える方法である。通信方法は、第２接続状態から第１接続状態に遷移した後に、第１接続状態から第２接続状態に遷移した場合に、データユニットのサイズを第１サイズで維持するステップを備える。
【００２４】
実施形態に係る通信システム及び制御装置は、第１サイズでデータユニットを伝送する第１接続状態と、第１サイズも大きい第２サイズでデータユニットを伝送する第２接続状態とを切り替える。通信システムは、第２接続状態から第１接続状態に遷移した後に、第１接続状態から第２接続状態に遷移した場合に、データユニットのサイズを第１サイズで維持する制御部を備える。
【００２５】
実施形態では、第２接続状態から第１接続状態に遷移した後に、第１接続状態から第２接続状態に遷移した場合に、データユニットのサイズを第２サイズに変更せずに第１サイズで維持する。従って、伝送速度の上昇は犠牲になってしまうが、データユニットのサイズ変更に伴うデータユニットの破棄が抑制される。すなわち、データロスが低減される。
【００２６】
［第１実施形態］
（通信システムの構成）
以下において、第１実施形態に係る通信システムの構成について、図面を参照しながら説明する。図１は、第１実施形態に係る通信システム１００の構成を示す図である。
【００２７】
図１に示すように、通信システム１００は、移動局１０と、無線基地局３０と、無線制御装置４０と、コアネットワーク５０とを有する。
【００２８】
移動局１０は、自局が存在するサービスエリア２０を管理する無線基地局３０を介して無線制御装置４０と通信を行う。移動局１０は、下り方向データを受信する受信装置として機能し、上り方向データを送信する送信装置として機能する。
【００２９】
無線基地局３０は、サービスエリア２０を管理しており、サービスエリア２０に存在する移動局１０と通信を行う。
【００３０】
サービスエリア２０は、１つのセルによって構成されていてもよく、複数のセルによって構成されていてもよい。なお、セルは、周波数、時間スロット又は拡散コードによって識別される。また、セルは、空間的なエリアだけではなくて、無線基地局３０に設けられる機能と考えてもよい。
【００３１】
例えば、第１実施形態では、無線基地局３０Ａ〜無線基地局３０Ｄが無線基地局３０として設けられる。無線基地局３０Ａ〜無線基地局３０Ｄは、それぞれ、サービスエリア２０Ａ〜サービスエリア２０Ｄを管理する。
【００３２】
無線制御装置４０は、無線基地局３０を管理しており、無線基地局３０を介して移動局１０と通信を行う。無線制御装置４０は、下り方向データを送信する送信装置として機能し、上り方向データを受信する受信装置として機能する。
【００３３】
例えば、第１実施形態では、無線制御装置４０Ａ〜無線制御装置４０Ｂが無線制御装置４０として設けられる。無線制御装置４０Ａは、無線基地局３０Ａ及び無線基地局３０Ｂを管理しており、無線制御装置４０Ｂは、無線基地局３０Ｃ及び無線基地局３０Ｄを管理している。
【００３４】
コアネットワーク５０は、無線基地局３０や無線制御装置４０などによって構成される無線アクセスネットワークと接続される。コアネットワーク５０は、回線交換機やパケット交換機などを有する。
【００３５】
なお、第１実施形態では、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）を例に挙げて、移動局１０の状態遷移について説明する。また、下り方向通信を例に挙げて説明する。すなわち、移動局１０が受信装置として機能し、無線制御装置４０が送信装置として機能として機能する。さらに、無線制御装置４０が制御装置として機能する。
【００３６】
（状態遷移）
以下において、第１実施形態に係る状態遷移について、図面を参照しながら説明する。図２は、第１実施形態に係る状態遷移を示す図である。
【００３７】
図２に示すように、移動局１０の状態としては、待ち受け状態１０１、第１ＨＳＤＰＡ接続状態１０２、共通チャネル接続状態１０３、個別チャネル接続状態１０４、第２ＨＳＤＰＡ接続状態１０５が挙げられる。
【００３８】
待ち受け状態１０１は、無線リンクが設定されていない状態である。なお、待ち受け状態１０１において、移動局１０は、位置登録処理やセル選択処理などを行う。
【００３９】
第１ＨＳＤＰＡ接続状態１０２は、ＨＳＤＰＡに対応するチャネル（無線リンク）が設定された状態である。ＨＳＤＰＡに対応するチャネルは、例えば、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）である。ＨＳ−ＤＳＣＨは、複数の移動局１０によって共有されるチャネルである。
【００４０】
共通チャネル接続状態１０３は、セルに存在する移動局１０に共通のチャネル（無線リンク）が設定された状態である。セルに存在する移動局１０に共通のチャネルは、例えば、ＦＡＣＨ（Ｆｏｒｗａｒｄ  Ａｃｃｅｓｓ  Ｃｈａｎｎｅｌ）である。
【００４１】
移動局１０は、下り方向データの流量が所定閾値を下回ると、共通チャネル接続状態１０３に遷移する。例えば、移動局１０は、第１ＨＳＤＰＡ接続状態１０２から共通チャネル接続状態１０３に遷移する。なお、移動局１０は、個別チャネル接続状態１０４や第２ＨＳＤＰＡ接続状態１０５から共通チャネル接続状態１０３に遷移してもよい。
【００４２】
個別チャネル接続状態１０４は、移動局１０に個別のチャネル（無線リンク）が設定された状態である。移動局１０に個別のチャネルは、例えば、ＤＣＨ（Ｄｅｄｉｃａｔｅｄ  Ｃｈａｎｎｅｌ）である。
【００４３】
移動局１０は、ＨＳＤＰＡがサポートされていない既存のセルに移動した場合に、第１ＨＳＤＰＡ接続状態１０２から個別チャネル接続状態１０４に遷移する。なお、移動局１０は、共通チャネル接続状態１０３や第２ＨＳＤＰＡ接続状態１０５から個別チャネル接続状態１０４に遷移していもよい。
【００４４】
なお、図示していないが、移動局１０は、ＨＳＤＰＡがサポートされていない既存のセルで通信を開始する場合には、待ち受け状態１０１から個別チャネル接続状態１０４に遷移してもよいことは勿論である。
【００４５】
第２ＨＳＤＰＡ接続状態１０５は、第１ＨＳＤＰＡ接続状態１０２と同様に、ＨＳＤＰＡに対応するチャネル（無線リンク）が設定された状態である。なお、第２ＨＳＤＰＡ接続状態１０５は、第１ＨＳＤＰＡ接続状態１０２から共通チャネル接続状態１０３に遷移した後に、ＨＳＤＰＡ接続状態に再び遷移した状態である。同様に、第２ＨＳＤＰＡ接続状態１０５は、第１ＨＳＤＰＡ接続状態１０２から個別チャネル接続状態１０４に遷移した後に、ＨＳＤＰＡ接続状態に再び遷移した状態である。
【００４６】
なお、第１ＨＳＤＰＡ接続状態１０２及び第２ＨＳＤＰＡ接続状態１０５は、説明の便宜上、別々な状態として説明しているに過ぎない。第１ＨＳＤＰＡ接続状態１０２及び第２ＨＳＤＰＡ接続状態１０５は、ＨＳＤＰＡに対応するチャネル（無線リンク）が設定された状態であり、これらの状態では、データユニットのサイズが異なっているに過ぎない。
【００４７】
（データユニットのサイズ）
以下において、第１実施形態に係るデータユニットのサイズについて説明する。第１実施形態では、データユニットのサイズとして、２つのサイズ（第１サイズ及び第２サイズ）が用いられるケースを例示する。
【００４８】
第１サイズは、共通チャネル接続状態１０３、個別チャネル接続状態１０４及び第２ＨＳＤＰＡ接続状態１０５で用いられるデータユニットのサイズである。なお、第１サイズは、例えば、４２オクテットである（３ＧＰＰ  ＴＳ３４．１０８を参照）。
【００４９】
第２サイズは、第１ＨＳＤＰＡ接続状態１０２で用いられるデータユニットのサイズである。なお、第２サイズは、第１サイズよりも大きい。第２サイズは、例えば、８２オクテットである（３ＧＰＰ  ＴＳ３４．１０８を参照）。
【００５０】
ここで、第２ＨＳＤＰＡ接続状態１０５は、ＨＳＤＰＡ接続状態であるが、第２ＨＳＤＰＡ接続状態１０５では、遷移前の状態（共通チャネル接続状態１０３又は個別チャネル接続状態１０４）と同じデータユニットのサイズ（第１サイズ）が用いられることに留意すべきである。すなわち、第２ＨＳＤＰＡ接続状態１０５では、遷移前の状態（共通チャネル接続状態１０３又は個別チャネル接続状態１０４）のデータユニットのサイズ（第１サイズ）が維持される。
【００５１】
第１実施形態では、データユニットとして、ＲＬＣ（Ｒａｄｉｏ  Ｌｉｎｋ  Ｃｏｎｔｒｏｌ）レイヤで処理されるＲＬＣ  ＰＤＵ（Ｐｒｏｔｏｃｏｌ  Ｄａｔａ  Ｕｎｉｔ）を例示する。また、第１サイズ及び第２サイズは固定長である。
【００５２】
（移動局の構成）
以下において、第１実施形態に係る移動局の構成について、図面を参照しながら説明する。図３は、第１実施形態に係る移動局１０の構成を示す図である。
【００５３】
図３に示すように、移動局１０は、通信部１１と、ＲＬＣレイヤ処理部１２と、上位レイヤ処理部１３とを有する。
【００５４】
通信部１１は、無線基地局３０を介して無線制御装置４０と通信を行う。例えば、通信部１１は、ユーザデータや制御データの通信を行う。
【００５５】
制御データは、接続要求（ＲＲＣ  Ｃｏｎｎｅｃｔｉｏｎ  Ｒｅｑｕｅｓｔなど）、ＲＡＢ接続設定（Ｒａｄｉｏ  Ｂｅａｒｅｒ  Ｓｅｔｕｐ）、ＲＡＢ切り替え設定（Ｒａｄｉｏ  Ｂｅａｒｅｒ  Ｒｅｃｏｎｆｉｇｕｒａｔｉｏｎ）などである。
【００５６】
接続要求（ＲＲＣ  Ｃｏｎｎｅｃｔｉｏｎ  Ｒｅｑｕｅｓｔなど）は、移動局１０から無線制御装置４０に送信されるメッセージ（ＲＲＣ（Ｒａｄｉｏ  Ｒｅｓｏｕｒｃｅ  Ｃｏｎｔｒｏｌ）メッセージ）である。接続要求（ＲＲＣ  Ｃｏｎｎｅｃｔｉｏｎ  Ｒｅｑｕｅｓｔなど）は、無線リンクの設定を要求するメッセージである。
【００５７】
ＲＡＢ接続設定（Ｒａｄｉｏ  Ｂｅａｒｅｒ  Ｓｅｔｕｐ）は、無線制御装置４０から移動局１０に送信されるメッセージ（ＲＲＣメッセージ）である。ＲＡＢ接続設定（Ｒａｄｉｏ  Ｂｅａｒｅｒ  Ｓｅｔｕｐ）は、無線リンクの接続設定を示すメッセージであり、ＲＬＣ  ＰＤＵのサイズを指定する情報を含む。
【００５８】
ＲＡＢ切り替え設定（Ｒａｄｉｏ  Ｂｅａｒｅｒ  Ｒｅｃｏｎｆｉｇｕｒａｔｉｏｎ）は、無線制御装置４０から移動局１０に送信されるメッセージ（ＲＲＣメッセージ）である。ＲＡＢ切り替え設定（Ｒａｄｉｏ  Ｂｅａｒｅｒ  Ｒｅｃｏｎｆｉｇｕｒａｔｉｏｎ）は、無線リンクの切り替え設定を示すメッセージであり、ＲＬＣ  ＰＤＵのサイズを指定する情報を含む。
【００５９】
ＲＬＣレイヤ処理部１２は、ＲＬＣレイヤにおける処理を行う。具体的には、ＲＬＣレイヤ処理部１２は、バッファを有しており、無線制御装置４０から受信するＲＬＣ  ＰＤＵをバッファに格納する。なお、ＲＬＣレイヤ処理部１２は、ＲＡＢ接続設定（Ｒａｄｉｏ  Ｂｅａｒｅｒ  Ｓｅｔｕｐ）又はＲＡＢ切り替え設定（Ｒａｄｉｏ  Ｂｅａｒｅｒ  Ｒｅｃｏｎｆｉｇｕｒａｔｉｏｎ）によって指定されたサイズでＲＬＣ  ＰＤＵを処理する。また、ＲＬＣレイヤ処理部１２は、ＲＬＣ  ＰＤＵのサイズが変更されると、バッファに格納されたＲＬＣ  ＰＤＵを破棄するように構成されている。
【００６０】
ここで、ＲＬＣレイヤ処理部１２は、例えば、以下に示す処理を行ってもよいことに留意すべきである。
【００６１】
（１）  ＲＬＣレイヤ処理部１２は、ＲＬＣ  ＰＤＵに設定されたシーケンス番号に基づいて、バッファに格納されたＲＬＣ  ＰＤＵを並び替える。
【００６２】
（２）  ＲＬＣレイヤ処理部１２は、ＲＬＣ  ＰＤＵの受信に成功したか否かを示す送達確認情報を無線基地局３０に送信する。送達確認情報は、ＲＬＣ  ＰＤＵの受信に成功したことを示す“ＡＣＫ”、又は、ＲＬＣ  ＰＤＵの受信に失敗したことを示す“ＮＡＣＫ”である。
【００６３】
なお、ＲＬＣレイヤ処理部は、無線制御装置４０に設けられており、移動局１０が受信に失敗したＲＬＣ  ＰＤＵを無線制御装置４０が再送することに留意すべきである。従って、ＲＬＣレイヤ処理部１２は、無線制御装置４０から再送されたＲＬＣ  ＰＤＵによって、無線区間における誤りを回復する。
【００６４】
上位レイヤ処理部１３は、無線制御装置４０から受信するＲＲＣメッセージに応じた処理を行う。例えば、上位レイヤ処理部１３は、ＲＡＢ接続設定（Ｒａｄｉｏ  Ｂｅａｒｅｒ  Ｓｅｔｕｐ）又はＲＡＢ切り替え設定（Ｒａｄｉｏ  Ｂｅａｒｅｒ  Ｒｅｃｏｎｆｉｇｕｒａｔｉｏｎ）に応じて、ＲＬＣ  ＰＤＵのサイズをＲＬＣレイヤ処理部１２に通知する。
【００６５】
（無線制御装置の構成）
以下において、第１実施形態に係る無線制御装置の構成について、図面を参照しながら説明する。図４は、第１実施形態に係る無線制御装置４０の構成を示す図である。
【００６６】
図４に示すように、無線制御装置４０は、通信部４１と、検出部４２と、ＲＬＣレイヤ処理部４３と、上位レイヤ処理部４４とを有する。
【００６７】
通信部４１は、無線基地局３０を介して移動局１０と通信を行う。例えば、通信部４１は、ユーザデータや制御データの通信を行う。
【００６８】
検出部４２は、移動局１０の状態を遷移するトリガを検出する。例えば、検出部４２は、下り方向データの流量の変化又は移動局１０の位置の変化を検出する。
【００６９】
第１に、検出部４２は、第１ＨＳＤＰＡ接続状態１０２において、下り方向データの流量が所定閾値を下回ったことを検出する。下り方向データの流量が所定閾値を下回ることは、第１ＨＳＤＰＡ接続状態１０２から共通チャネル接続状態１０３に移動局１０の状態を遷移するトリガである。また、検出部４２は、共通チャネル接続状態１０３において、下り方向データの流量が所定閾値を上回ったことを検出する。下り方向データの流量が所定閾値を上回ることは、共通チャネル接続状態１０３から第２ＨＳＤＰＡ接続状態１０５に移動局１０の状態を遷移するトリガである。
【００７０】
第２に、検出部４２は、第１ＨＳＤＰＡ接続状態１０２において、ＨＳＤＰＡに対応するセル内からＨＳＤＰＡに対応するセル外に移動局１０が移動したことを検出する。ＨＳＤＰＡに対応するセル内からＨＳＤＰＡに対応するセル外への移動は、第１ＨＳＤＰＡ接続状態１０２から個別チャネル接続状態１０４に移動局１０の状態を遷移するトリガである。また、検出部４２は、個別チャネル接続状態１０４において、ＨＳＤＰＡに対応するセル外からＨＳＤＰＡに対応するセル内に移動局１０が移動したことを検出する。ＨＳＤＰＡに対応するセル外からＨＳＤＰＡに対応するセル内への移動は、個別チャネル接続状態１０４から第２ＨＳＤＰＡ接続状態１０５に移動局１０の状態を遷移するトリガである。
【００７１】
ＲＬＣレイヤ処理部４３は、ＲＬＣレイヤにおける処理を行う。具体的には、ＲＬＣレイヤ処理部４３は、シーケンス番号が設定されたＲＬＣ  ＰＤＵを、無線基地局３０を介して移動局１０に送信するように通信部４１に指示する。
【００７２】
上位レイヤ処理部４４は、ＲＲＣレイヤにおける処理を行う。具体的には、上位レイヤ処理部４４は、ＲＡＢ接続設定（Ｒａｄｉｏ  Ｂｅａｒｅｒ  Ｓｅｔｕｐ）又はＲＡＢ切り替え設定（Ｒａｄｉｏ  Ｂｅａｒｅｒ  Ｒｅｃｏｎｆｉｇｕｒａｔｉｏｎ）を、無線基地局３０を介して移動局１０に送信するように通信部４１に指示する。
【００７３】
ここで、上位レイヤ処理部４４は、検出部４２の検出結果に応じて、ＲＬＣ  ＰＤＵのサイズを制御する。
【００７４】
第１に、上位レイヤ処理部４４は、第１ＨＳＤＰＡ接続状態１０２において、下り方向データの流量が所定閾値を下回ったことが検出された場合に、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）の送信を通信部４１に指示する。また、上位レイヤ処理部４４は、共通チャネル接続状態１０３において、下り方向データの流量が所定閾値を上回ったことが検出された場合に、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）の送信を通信部４１に指示する。
【００７５】
このように、上位レイヤ処理部４４は、第１ＨＳＤＰＡ接続状態１０２から共通チャネル接続状態１０３に遷移した後に、共通チャネル接続状態１０３から第２ＨＳＤＰＡ接続状態１０５に遷移する場合に、ＲＬＣ  ＰＤＵのサイズを第１サイズで維持する。
【００７６】
第２に、上位レイヤ処理部４４は、第１ＨＳＤＰＡ接続状態１０２において、ＨＳＤＰＡに対応するセル内からＨＳＤＰＡに対応するセル外に移動局１０が移動したことが検出された場合に、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）の送信を通信部４１に指示する。また、上位レイヤ処理部４４は、個別チャネル接続状態１０４において、ＨＳＤＰＡに対応するセル外からＨＳＤＰＡに対応するセル内に移動局１０が移動したことが検出された場合に、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）の送信を通信部４１に指示する。
【００７７】
このように、上位レイヤ処理部４４は、第１ＨＳＤＰＡ接続状態１０２から個別チャネル接続状態１０４に遷移した後に、個別チャネル接続状態１０４から第２ＨＳＤＰＡ接続状態１０５に遷移する場合に、ＲＬＣ  ＰＤＵのサイズを第１サイズで維持する。
【００７８】
なお、上位レイヤ処理部４４は、待ち受け状態１０１において、ＨＳＤＰＡに対応するチャネル（無線リンク）の設定を要求する接続要求（ＲＲＣ  Ｃｏｎｅｃｔｉｏｎ  Ｒｅｑｕｅｓｔなど）を受信した場合に、ＲＬＣ  ＰＤＵのサイズとして第２サイズを指定するＲＡＢ接続設定（Ｒａｄｉｏ  Ｂｅａｒｅｒ  Ｓｅｔｕｐ）の送信を通信部４１に指示する。
【００７９】
（通信システムの動作）
以下において、第１実施形態に係る通信システムの動作について、図面を参照しながら説明する。図５及び図６は、第１実施形態に係る通信システム１００の動作を示す図である。
【００８０】
第１に、待ち受け状態１０１、第１ＨＳＤＰＡ接続状態１０２、共通チャネル接続状態１０３、第２ＨＳＤＰＡ接続状態１０５の順に、移動局１０の状態が遷移するケースについて、図５を参照しながら説明する。
【００８１】
図５に示すように、ステップ１０において、移動局１０は、待ち受け状態１０１である。
【００８２】
ステップ１１において、移動局１０は、ＨＳＤＰＡに対応するチャネル（無線リンク）の設定を要求する接続要求（ＲＲＣ  Ｃｏｎｅｃｔｉｏｎ  Ｒｅｑｕｅｓｔなど）を無線制御装置４０に送信する。
【００８３】
ステップ１２において、無線制御装置４０は、ＲＬＣ  ＰＤＵのサイズとして第２サイズを指定するＲＡＢ接続設定（Ｒａｄｉｏ  Ｂｅａｒｅｒ  Ｓｅｔｕｐ）を移動局１０に送信する。ここで、ＲＡＢ接続設定（Ｒａｄｉｏ  Ｂｅａｒｅｒ  Ｓｅｔｕｐ）は、ＨＳＤＰＡに対応するチャネル（無線リンク）の設定を示す情報を含む。
【００８４】
ステップ１３において、移動局１０は、待ち受け状態１０１から第１ＨＳＤＰＡ接続状態１０２に遷移する。
【００８５】
ステップ１４において、無線制御装置４０は、下り方向データの流量が所定閾値を下回ったことを検出する。なお、下り方向データの流量が所定閾値を下回ったことを移動局１０が検出してもよい。このようなケースでは、移動局１０から無線制御装置４０に対して、下り方向データの流量が所定閾値を下回った旨が通知される。
【００８６】
ステップ１５において、無線制御装置４０は、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）を移動局１０に送信する。ここで、ＲＡＢ切り替え設定（Ｒａｄｉｏ  Ｂｅａｒｅｒ  Ｒｅｃｏｎｆｉｇｕｒａｔｉｏｎ）は、セルに存在する移動局１０に共通のチャネル（無線リンク）の設定を示す情報を含む。
【００８７】
ステップ１６において、移動局１０は、第１ＨＳＤＰＡ接続状態１０２から共通チャネル接続状態１０３に遷移する。
【００８８】
ステップ１７において、無線制御装置４０は、下り方向データの流量が所定閾値を上回ったことを検出する。なお、下り方向データの流量が所定閾値を上回ったことを移動局１０が検出してもよい。このようなケースでは、移動局１０から無線制御装置４０に対して、下り方向データの流量が所定閾値を上回った旨が通知される。
【００８９】
ステップ１８において、無線制御装置４０は、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）を移動局１０に送信する。ここで、ＲＡＢ切り替え設定（Ｒａｄｉｏ  Ｂｅａｒｅｒ  Ｒｅｃｏｎｆｉｇｕｒａｔｉｏｎ）は、ＨＳＤＰＡに対応するチャネル（無線リンク）の設定を示す情報を含む。
【００９０】
第２に、待ち受け状態１０１、第１ＨＳＤＰＡ接続状態１０２、個別チャネル接続状態１０４、第２ＨＳＤＰＡ接続状態１０５の順に、移動局１０の状態が遷移するケースについて、図６を参照しながら説明する。
【００９１】
図６に示すように、ステップ２０において、移動局１０は、待ち受け状態１０１である。
【００９２】
ステップ２１において、移動局１０は、ＨＳＤＰＡに対応するチャネル（無線リンク）の設定を要求する接続要求（ＲＲＣ  Ｃｏｎｅｃｔｉｏｎ  Ｒｅｑｕｅｓｔなど）を無線制御装置４０に送信する。
【００９３】
ステップ２２において、無線制御装置４０は、ＲＬＣ  ＰＤＵのサイズとして第２サイズを指定するＲＡＢ接続設定（Ｒａｄｉｏ  Ｂｅａｒｅｒ  Ｓｅｔｕｐ）を移動局１０に送信する。ここで、ＲＡＢ接続設定（Ｒａｄｉｏ  Ｂｅａｒｅｒ  Ｓｅｔｕｐ）は、ＨＳＤＰＡに対応するチャネル（無線リンク）の設定を示す情報を含む。
【００９４】
ステップ２３において、移動局１０は、待ち受け状態１０１から第１ＨＳＤＰＡ接続状態１０２に遷移する。
【００９５】
ステップ２４において、無線制御装置４０は、ＨＳＤＰＡに対応するセル内からＨＳＤＰＡに対応するセル外に移動局１０が移動したことを検出する。なお、ＨＳＤＰＡに対応するセル内からＨＳＤＰＡに対応するセル外に移動局１０が移動したことを移動局１０が検出してもよい。このようなケースでは、移動局１０から無線制御装置４０に対して、ＨＳＤＰＡに対応するセル内からＨＳＤＰＡに対応するセル外に移動局１０が移動した旨が通知される。
【００９６】
ステップ２５において、無線制御装置４０は、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）を移動局１０に送信する。ここで、ＲＡＢ切り替え設定（Ｒａｄｉｏ  Ｂｅａｒｅｒ  Ｒｅｃｏｎｆｉｇｕｒａｔｉｏｎ）は、移動局１０に個別のチャネル（無線リンク）の設定を示す情報を含む。
【００９７】
ステップ２６において、移動局１０は、第１ＨＳＤＰＡ接続状態１０２から個別チャネル接続状態１０４に遷移する。
【００９８】
ステップ２７において、無線制御装置４０は、ＨＳＤＰＡに対応するセル外からＨＳＤＰＡに対応するセル内に移動局１０が移動したことを検出する。なお、ＨＳＤＰＡに対応するセル外からＨＳＤＰＡに対応するセル内に移動局１０が移動したことを移動局１０が検出してもよい。このようなケースでは、移動局１０から無線制御装置４０に対して、ＨＳＤＰＡに対応するセル外からＨＳＤＰＡに対応するセル内に移動局１０が移動した旨が通知される。
【００９９】
ステップ２８において、無線制御装置４０は、ＲＬＣ  ＰＤＵのサイズとして第１サイズを指定するＲＡＢ切り替え設定（Ｒａｄｉｏ  Ｂｅａｒｅｒ  Ｒｅｃｏｎｆｉｇｕｒａｔｉｏｎ）を移動局１０に送信する。ここで、ＲＡＢ切り替え設定（Ｒａｄｉｏ  Ｂｅａｒｅｒ  Ｒｅｃｏｎｆｉｇｕｒａｔｉｏｎ）は、ＨＳＤＰＡに対応するチャネル（無線リンク）の設定を示す情報を含む。
【０１００】
（作用及び効果）
実施形態では、第２接続状態（第１ＨＳＤＰＡ接続状態１０２）から第１接続状態（共通チャネル接続状態１０３又は個別チャネル接続状態１０４）に遷移した後に、第１接続状態（共通チャネル接続状態１０３又は個別チャネル接続状態１０４）から第２接続状態（第２ＨＳＤＰＡ接続状態１０５）に遷移した場合に、データユニット（ＲＬＣ  ＰＤＵ）のサイズを第２サイズに変更せずに第１サイズで維持する。従って、伝送速度の上昇は犠牲になってしまうが、データユニット（ＲＬＣ  ＰＤＵ）のサイズの変更に伴うデータユニット（ＲＬＣ  ＰＤＵ）の破棄が抑制される。すなわち、データロスが低減される。
【０１０１】
実施形態では、例えば、ＲＬＣレイヤの上位レイヤとして、ＰＤＣＰ（Ｐａｃｋｅｔ  Ｄａｔａ  Ｃｏｎｖｅｒｇｅｎｃｅ  Ｐｒｏｔｏｃｏｌ）レイヤが設けられておらず、ＰＤＣＰレイヤにおける再送制御が行われなくても、データロスを低減することができる。
【０１０２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０３】
上述した実施形態では、下り方向通信について例示したが、実施形態は、これに限定されるものではない。具体的には、実施形態は、上り方向通信について適用されてもよい。
【０１０４】
上述した実施形態では、第１サイズでデータユニットを伝送する第１接続状態として、共通チャネル接続状態１０３及び個別チャネル接続状態１０４を例示した。また、第２サイズでデータユニットを伝送する第２接続状態として、ＨＳＤＰＡ接続状態を例示した。しかしながら、実施形態は、これに限定されるものではない。実施形態は、第２接続状態から第１接続状態に遷移した後に、第１接続状態から第２接続状態に遷移した場合に、データユニットが維持されればよい。すなわち、第１接続状態及び第２接続状態に係る具体的な名称は重要ではないことに留意すべきである。また、移動局１０の状態についても、実施形態で例示したに過ぎず、他の接続状態があってもよい。
【０１０５】
上述した実施形態では、無線制御装置４０がデータユニットのサイズを制御するが、実施形態は、これに限定されるものではない。例えば、ＬＴＥ（Ｌｏｎｇ  Ｔｉｍｅ  Ｅｖｏｌｕｔｉｏｎ）では、ＥＰＣ（Ｅｖｏｌｖｅｄ  Ｐａｃｋｅｔ  Ｃｏｒｅ）に設けられたＭＭＥ（Ｍｏｂｉｌｉｔｙ  Ｍａｎａｇｅｍｅｎｔ  Ｅｎｔｉｔｙ）がデータユニットのサイズを制御してもよい。又は、無線基地局３０がデータユニットのサイズを制御してもよい。
【符号の説明】
【０１０６】
１０…移動局、１１…通信部、１２…ＲＬＣレイヤ処理部、１３…上位レイヤ処理部、２０…サービスエリア、３０…無線基地局、４０…無線制御装置、４１…通信部、４２…検出部、４３…ＲＬＣレイヤ処理部、４４…上位レイヤ処理部、５０…コアネットワーク、１００…通信システム、１０１…待ち受け状態、１０２…第１ＨＳＤＰＡ接続状態、１０３…共通チャネル接続状態、１０４…個別チャネル接続状態、１０５…第２ＨＳＤＰＡ接続状態
【図１】
2011015213.tif 000003
【図２】
2011015213.tif 000004
【図３】
2011015213.tif 000005
【図４】
2011015213.tif 000006
【図５】
2011015213.tif 000007
【図６】
2011015213.tif 000008